【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
木材製品の１つ又は複数の表面上に難燃剤コーティングを形成する方法であって、
ａ．（ｉ）１つ又は複数の脂肪族イソシアネート化合物；及び（ｉｉ）１つ又は複数の脂肪族アミン化合物を含む２成分系並びに１つ又は複数の難燃剤を提供するステップ；
ｂ．スプレーガンにおいてステップ（ａ）の成分（ｉ）及び成分（ｉｉ）を合わせて、成分（ｉ）及び成分（ｉｉ）の混合物を形成するステップ；
ｃ．木材製品の１つ又は複数の表面を、ステップ（ｂ）の前記混合物を前記木材製品の１つ又は複数の表面上にスプレーすることによってコーティングするステップ
を含む方法。
【請求項２】
脂肪族アミン化合物とイソシアネート化合物との比は、約５：１〜約１：５（重量／重量）である、請求項１に記載の方法。
【請求項３】
脂肪族アミン化合物とイソシアネート化合物との比は、約２：１〜約１：２（重量／重量）である、請求項１に記載の方法。
【請求項４】
脂肪族アミン化合物とイソシアネート化合物との比は、約１．２：１〜約１：１．２（重量／重量）である、請求項１に記載の方法。
【請求項５】
脂肪族アミン化合物とイソシアネート化合物との比は、概ね１：１（重量／重量）である、請求項１に記載の方法。
【請求項６】
成分（ｉ）及び成分（ｉｉ）は、（ｂ）の成分（ｉ）及び成分（ｉｉ）を合わせる前に事前加熱される、請求項１に記載の方法。
【請求項７】
前記脂肪族アミン化合物は、ポリアミン、第一級アミン、第二級アミン及び第三級アミンからなる群から選択される、請求項１に記載の方法。
【請求項８】
前記難燃剤は、ホスフェート化合物を含む、請求項１に記載の方法。
【請求項９】
前記脂肪族イソシアネート化合物は、イソシアネートプレポリマー、脂肪族ジイソシアネート、三量体形成された脂肪族ジイソシアネート及び脂肪族ジイソシアネートのビウレット形態からなる群から選択される、請求項１に記載の方法。
【請求項１０】
前記コーティングステップ（ｃ）は、ステップ（ｃ）の前記コーティングが周囲温度で約１分〜約１２０分間にわたって硬化することを可能にするステップをさらに含む、請求項１に記載の方法。
【請求項１１】
前記コーティングステップ（ｃ）は、ステップ（ｃ）の前記コーティングが周囲温度で約１分未満にわたって硬化することを可能にするステップをさらに含む、請求項１に記載の方法。
【請求項１２】
前記木材製品は、木材保存剤組成物で事前処理されて、前記木材製品を虫害及び／又は真菌腐敗に対して抵抗性のものにする、請求項１に記載の方法。
【請求項１３】
前記木材保存剤組成物は、金属化合物及び／又は有機殺生物剤を含む、請求項１２に記載の方法。
【請求項１４】
前記金属化合物は、銅、亜鉛、鉄及び銀の化合物からなる群から選択される、請求項１３に記載の方法。
【請求項１５】
前記金属化合物は、銅化合物である、請求項１３に記載の方法。
【請求項１６】
前記銅化合物は、銅金属、酸化第一銅、酸化第二銅、水酸化銅、炭酸銅、塩基性炭酸銅、オキシ塩化銅、銅８−ヒドロキシキノレート、ジメチルジチオカルバミン酸銅、銅オマジン、ホウ酸銅及び塩基性ホウ酸銅からなる群から選択される、請求項１５に記載の方法。
【請求項１７】
前記木材保存剤組成物は、クレオソート（ＣＲ又はＣＲ−Ｓ）、アンモニア性ヒ酸銅亜鉛（ＡＣＺＡ）、クロム化ヒ酸銅（ＣＣＡ−Ｃ）、アルカリ銅クアット（ＡＣＱ、Ａ型、Ｂ型、Ｃ型又はＤ型）、銅アゾール（Ｂ型及びＣ型）、銅ＨＤＯのＡ型、ナフテン酸銅（ＣｕＮ）、アルカリ銅ベタイン（ＫＤＳ及びＫＤＳのＢ型）、微粒子化銅アゾール（ＭＣＡ及びＭＣＡ−Ｃ）並びにペンタクロロフェノール（ＰＣＰ）からなる群から選択される、請求項１２に記載の方法。
【請求項１８】
前記木材製品は、デッキ、レール、フェンス、電信柱、線路の枕木、鉄道橋、外装仕上げ材及び羽目板からなる群から選択される、請求項１に記載の方法。
【請求項１９】
前記木材製品は、材木、合板、単板積層材（ＬＶＬ）、直交積層材（ＣＴＬ）、平行ストランド材（ＰＳＬ）、構造用集成材、パーティクルボード又は建材である、請求項１に記載の方法。
【請求項２０】
前記コーティングは、前記木材製品が現場において使用中である間に前記木材製品に塗布される、請求項１に記載の方法。
【請求項２１】
前記コーティングは、前記木材製品が使用に供される前に前記木材製品に塗布される、請求項１に記載の方法。
【請求項２２】
木材製品であって、
ａ．（ｉ）１つ又は複数の脂肪族イソシアネート化合物；及び（ｉｉ）１つ又は複数の脂肪族アミン化合物を含む２成分系並びに１つ又は複数の難燃剤を提供するステップ；及び
ｂ．スプレーガンにおいてステップ（ａ）の成分（ｉ）及び成分（ｉｉ）を合わせて、成分（ｉ）及び成分（ｉｉ）の混合物を形成するステップ；
ｃ．木材製品の１つ又は複数の表面を、ステップ（ｂ）の前記混合物を前記木材製品の１つ又は複数の表面上にスプレーすることによってコーティングするステップ
を含む方法によって生産される木材製品。
【請求項２３】
難燃剤組成物を基材に塗布するためのシステムであって、
ａ．スプレーガンを介して前記難燃剤組成物をスプレーするための機構；
ｂ．成分（ｉ）を含む第１の貯蔵容器であって、成分（ｉ）は、１つ又は複数の脂肪族イソシアネート化合物を含む、第１の貯蔵容器；及び
ｃ．成分（ｉｉ）を含む第２の貯蔵容器であって、成分（ｉｉ）は、１つ又は複数の脂肪族アミン化合物及び１つ又は複数の難燃剤を含む、第２の貯蔵容器
を含み、成分（ｉ）及び成分（ｉｉ）は、スプレー前に前記スプレーガン内で合わされる、システム。
【請求項２４】
（ａ）１つ又は複数の脂肪族イソシアネート化合物；（ｂ）１つ又は複数の脂肪族アミン化合物；及び（ｃ）１つ又は複数の難燃剤の混合物を含む難燃剤組成物。
【請求項２５】
（ａ）１つ又は複数の脂肪族イソシアネート化合物；（ｂ）１つ又は複数の脂肪族アミン化合物；及び（ｃ）１つ又は複数の難燃剤を合わせることの生成物である組成物。
【請求項２６】
請求項２５に記載の組成物を含む、基材上のコーティング。
【請求項２７】
スプレーによって前記基材に塗布される、請求項２６に記載のコーティング。
【請求項２８】
前記基材は、木材製品である、請求項２６に記載のコーティング。
【請求項２９】
前記基材は、デッキである、請求項２８に記載のコーティング。
【請求項３０】
前記基材は、レールである、請求項２８に記載のコーティング。
【請求項３１】
前記基材は、フェンスである、請求項２８に記載のコーティング。
【請求項３２】
前記基材は、電信柱である、請求項２８に記載のコーティング。
【請求項３３】
前記基材は、線路の枕木である、請求項２８に記載のコーティング。
【請求項３４】
前記基材は、鉄道橋の構成要素である、請求項２８に記載のコーティング。
【請求項３５】
増加した寸法安定性を木材製品に与える方法であって、
ａ．（ｉ）１つ又は複数の脂肪族イソシアネート化合物；及び（ｉｉ）１つ又は複数の脂肪族アミン化合物を含む２成分系を提供するステップ；
ｂ．スプレーガンにおいてステップ（ａ）の成分（ｉ）及び成分（ｉｉ）を合わせて、成分（ｉ）及び成分（ｉｉ）の混合物を形成するステップ；
ｃ．前記木材製品の１つ又は複数の表面を、ステップ（ｂ）の前記混合物を前記木材製品の１つ又は複数の表面上にスプレーすることによってコーティングするステップ
を含み、前記木材製品は、ステップ（ａ）、（ｂ）及び（ｃ）によって処理されていない木材製品と比較して増加した寸法安定性を有する、方法。
【請求項３６】
脂肪族アミン化合物とイソシアネート化合物との比は、約５：１〜約１：５（重量／重量）である、請求項３５に記載の方法。
【請求項３７】
脂肪族アミン化合物とイソシアネート化合物との比は、約２：１〜約１：２（重量／重量）である、請求項３５に記載の方法。
【請求項３８】
脂肪族アミン化合物とイソシアネート化合物との比は、約１．２：１〜約１：１．２（重量／重量）である、請求項３５に記載の方法。
【請求項３９】
脂肪族アミン化合物とイソシアネート化合物との比は、概ね１：１（重量／重量）である、請求項３５に記載の方法。
【請求項４０】
成分（ｉ）及び成分（ｉｉ）は、（ｂ）の成分（ｉ）及び成分（ｉｉ）を合わせる前に事前加熱される、請求項３５に記載の方法。
【請求項４１】
前記脂肪族アミン化合物は、ポリアミン、第一級アミン、第二級アミン及び第三級アミンからなる群から選択される、請求項３５に記載の方法。
【請求項４２】
成分（ｉｉ）は、前記１つ又は複数の難燃剤をさらに含む、請求項１に記載の方法。
【請求項４３】
木材製品であって、
ａ．（ｉ）１つ又は複数の脂肪族イソシアネート化合物；及び（ｉｉ）１つ又は複数の脂肪族アミン化合物を含む２成分系を提供するステップ；及び
ｂ．スプレーガンにおいてステップ（ａ）の成分（ｉ）及び成分（ｉｉ）を合わせて、成分（ｉ）及び成分（ｉｉ）の混合物を形成するステップ；
ｃ．木材製品の１つ又は複数の表面を、ステップ（ｂ）の前記混合物を前記木材製品の１つ又は複数の表面上にスプレーすることによってコーティングするステップ
を含む方法によって生産される木材製品。
【請求項４４】
組成物を基材に塗布するためのシステムであって、
ａ．スプレーガンを介して前記組成物をスプレーするための機構；
ｂ．成分（ｉ）を含む第１の貯蔵容器であって、成分（ｉ）は、１つ又は複数の脂肪族イソシアネート化合物を含む、第１の貯蔵容器；及び
ｃ．成分（ｉｉ）を含む第２の貯蔵容器であって、成分（ｉｉ）は、１つ又は複数の脂肪族アミン化合物を含む、第２の貯蔵容器
を含み、成分（ｉ）及び成分（ｉｉ）は、スプレー前に前記スプレーガン内で合わされる、システム。
【請求項４５】
木材を含む組成物であって、前記木材は、１つ又は複数の表面上において、（ｉ）１つ又は複数の脂肪族イソシアネート化合物；及び（ｉｉ）１つ又は複数の脂肪族アミン化合物を合わせることによって形成されるポリマーでコーティングされる、組成物。